(57)【特許請求の範囲】
【請求項１】
乗りかごの昇降動作を案内する主レールから主レールの延伸方向に直交する方向に延伸する取り付け部材の先端部に取り付けられ主レールと所定の間隔をあけて主レールと平行に延伸する終点スイッチであり乗りかごが終端位置を超えて昇降したことを検出する終点スイッチの取り付け位置を調整する調整治具であって、
主レールに対して着脱可能に固定される治具側固定部と、
治具側固定部から取り付け部材の延伸方向に沿って延伸する治具側延伸部と、
治具側延伸部の先端部に設けられ、終点スイッチの取り付け位置を調整するときに、終点スイッチの移動方向を終点スイッチの延伸方向に沿った方向への移動のみに規制する治具側規制部と、
を備えることを特徴とする調整治具。
【請求項２】
請求項１に記載の調整治具において、
治具側規制部は、
取り付け部材と協働して終点スイッチを挟持することで終点スイッチの延伸方向に直交する方向への移動ができないように規制することを特徴とする調整治具。
【請求項３】
請求項１または請求項２に記載の調整治具において、
治具側規制部は、
終点スイッチの取り付け位置を調整するときの終点スイッチの延伸方向に沿った方向への移動距離を測定するための目盛部を有することを特徴とする調整治具。
【請求項４】
請求項１から請求項３のいずれか１に記載の調整治具において、
治具側固定部は、
主レールに対して磁気的に接続するために磁化された磁化部を有することを特徴とする調整治具。
【請求項５】
請求項１から請求項４のいずれか１に記載の調整治具において、
治具側固定部は、
治具側規制部が終点スイッチの移動方向を終点スイッチの延伸方向に沿った方向への移動のみに規制する位置となるように治具側延伸部の長さを調整する長さ調整手段を有することを特徴とする調整治具。
【請求項６】
請求項１から請求項４のいずれか１に記載の調整治具において、
治具側規制部は、
治具側規制部が終点スイッチの移動方向を終点スイッチの延伸方向に沿った方向への移動のみに規制する位置となるように治具側延伸部の長さを調整する長さ調整手段を有することを特徴とする調整治具。
【請求項７】
請求項１から請求項６のいずれか１に記載の調整治具において、
治具側固定部は、
凹形状の外形を有することを特徴とする調整治具。
【請求項８】
請求項１から請求項６のいずれか１に記載の調整治具において、
治具側固定部は、
主レールを構成する側面のうち、終点スイッチが設けられる側の側面とは反対側の側面に係合する係合部を有することを特徴とする調整治具。
【発明の詳細な説明】
【技術分野】
【０００１】
本発明は、調整治具に係り、特に、エレベータの終点スイッチの取り付け位置を調整するための調整治具に関する。
【背景技術】
【０００２】
現在、商業施設等の様々な場所においてエレベータが設置されている。そして、エレベータの乗りかごが昇降路内を昇降することで、乗客を所望の階床まで移動させている。また、エレベータには、乗りかごの行き過ぎを防止するために、昇降路の最上部と最下部において乗りかごの昇降動作を案内する主レールに終点スイッチが取り付けられ、当該終点スイッチによって乗りかごの行き過ぎが検出されている。
【０００３】
本発明に関連する技術として、例えば、特許文献１には、エレベータの終点スイッチとして、エレベータの昇降路に設置され、カゴが接近すると作動するスイッチユニットと、回動可能に設けられた位置調整治具材の回動に応じて上記スイッチユニットの位置をカゴ昇降方向に調整をする位置調整ユニットと、を有し、上記スイッチユニットは昇降路内に、カゴ昇降方向へ可動に取着されている構成が開示されている。
【先行技術文献】
【特許文献】
【０００４】
【特許文献１】特開２００４−２８４７５５号公報
【発明の概要】
【発明が解決しようとする課題】
【０００５】
ところで、エレベータの終点スイッチは、主レールの延伸方向に直交する方向に延伸する取り付け部材の先端部に取り付けられ、主レールと所定の間隔をあけて主レールと平行に延伸する外形を有している。そして、保守作業員は、定期的な終点スイッチの保守点検として、終点スイッチの交換は行わないが既設の終点スイッチの取り付け位置だけを再調整することがあり、また、終点スイッチの交換を行うときにも、交換後の新しい終点スイッチの取り付け位置の調整を行うことが必要である。このとき、終点スイッチが種々の方向に移動可能な状態であると取り付け位置の調整に時間がかかってしまうという問題がある。
【０００６】
本発明の目的は、終点スイッチの移動方向を規制することで、より好適に終点スイッチの取り付け位置の調整を行うことができる調整治具を提供することである。
【課題を解決するための手段】
【０００７】
本発明に係る調整治具は、乗りかごの昇降動作を案内する主レールから主レールの延伸方向に直交する方向に延伸する取り付け部材の先端部に取り付けられ主レールと所定の間隔をあけて主レールと平行に延伸する終点スイッチであり乗りかごが終端位置を超えて昇降したことを検出する終点スイッチの取り付け位置を調整する調整治具であって、主レールに対して着脱可能に固定される治具側固定部と、治具側固定部から取り付け部材の延伸方向に沿って延伸する治具側延伸部と、治具側延伸部の先端部に設けられ、終点スイッチの取り付け位置を調整するときに、終点スイッチの移動方向を終点スイッチの延伸方向に沿った方向への移動のみに規制する治具側規制部と、を備えることを特徴とする。
【０００８】
また、本発明に係る調整治具において、治具側規制部は、取り付け部材と協働して終点スイッチを挟持することで終点スイッチの延伸方向に直交する方向への移動ができないように規制することが好ましい。
【０００９】
また、本発明に係る調整治具において、治具側規制部は、終点スイッチの取り付け位置を調整するときの終点スイッチの延伸方向に沿った方向への移動距離を測定するための目盛部を有することが好ましい。
【００１０】
また、本発明に係る調整治具において、治具側固定部は、主レールに対して磁気的に接続するために磁化された磁化部を有することが好ましい。
【００１１】
また、本発明に係る調整治具において、治具側固定部は、治具側規制部が終点スイッチの移動方向を終点スイッチの延伸方向に沿った方向への移動のみに規制する位置となるように治具側延伸部の長さを調整する長さ調整手段を有することが好ましい。
【００１２】
また、本発明に係る調整治具において、治具側規制部は、治具側規制部が終点スイッチの移動方向を終点スイッチの延伸方向に沿った方向への移動のみに規制する位置となるように治具側延伸部の長さを調整する長さ調整手段を有することが好ましい。
【００１３】
また、本発明に係る調整治具において、治具側固定部は、凹形状の外形を有することが好ましい。
【００１４】
また、本発明に係る調整治具において、治具側固定部は、主レールを構成する側面のうち、終点スイッチが設けられる側の側面とは反対側の側面に係合する係合部を有することが好ましい。
【発明の効果】
【００１５】
上記構成の調整治具は、終点スイッチの移動方向を終点スイッチの延伸方向に沿った方向への移動のみに規制する治具側規制部を備えている。これにより、終点スイッチの移動方向を規制することができるため、より好適に終点スイッチの取り付け位置の調整を行うことができる。
【図面の簡単な説明】
【００１６】
【図１】本発明に係る実施の形態において、エレベータの構成を示す図である。
【図２】本発明に係る実施の形態において、主レールのうち昇降路の最上部に設けられる終点スイッチ付近を示す図である。
【図３】本発明に係る実施の形態において、図２において示される終点スイッチの移動方向を規制するために調整治具を用いている様子を示す図である。
【図４】本発明に係る実施の形態において、図３において矢印Ａ方向から調整治具と主レールと取り付け部材と終点スイッチを見た様子を示す上面図である。
【図５】本発明に係る実施の形態において、調整治具の第１変形例について図４に対応する上面図である。
【図６】本発明に係る実施の形態において、調整治具の第２変形例について図４に対応する上面図である。
【発明を実施するための形態】
【００１７】
以下では、全ての図面において同様の要素には同一の符号を付し、重複する説明を省略する。また、本文中の説明においては、必要に応じそれ以前に述べた符号を用いるものとする。
【００１８】
図１は、エレベータ１０の構成を示す図である。エレベータ１０は、巻上機１４を中心として、巻上機１４のシーブに巻き架けられた主ロープ７のうちの一方端には乗りかご２が取り付けられ、他方端にはカウンタウエイト１６が取り付けられている。そして、エレベータ１０のシステム全体の制御は、エレベータ制御部２２によって行われている。ここで、巻上機１４とエレベータ制御部２２とが昇降路９の上方に位置するいわゆる機械室２０に設置されている。
【００１９】
カウンタウエイト１６は、釣合い錘とも呼ばれ、いわゆるつるべ式エレベータシステムで用いられる錘である。カウンタウエイト１６は、全体の形状は扁平で縦に長く、非常に重い鉄の塊であり、主ロープ７の一方端に接続されている乗りかご２との間でバランスを取っている。
【００２０】
巻上機１４は、主ロープ７の折り返し中間地点に設置され、電動機（モータ）と、それに連結された滑車（シーブ）に掛かる摩擦力によって、乗りかご２とカウンタウエイト１６を昇降（上昇下降）させる機能を有する。この方法によって乗りかご２の昇降を行うと、主ロープ７の両端の重量バランスが良いので、比較的小さい力で主ロープ７に吊るされた乗りかご２を昇降させることができる。
【００２１】
乗りかご２は、昇降路９に設けられる主レール１２に案内されて昇降路９内を昇降し、行先階設定釦部８３によって設定された行先階まで乗客４を移動させるための箱型の構造物である。乗りかご２は、乗りかご操作盤８と、乗りかご扉６とを含んで構成される。エレベータ１０において昇降路９内に設けられる主レール１２と、取り付け部材１１，１５と、終点スイッチ１３，１７とについては後述する。
【００２２】
乗りかご扉６は、乗りかご２が乗客４によって設定された行先階に着床したときに開閉する両開き、あるいは、片開き扉である。乗りかご扉６は、エレベータ制御部２２の制御によって開閉制御される。エレベータ制御部２２の開閉制御の１つである自動戸開閉制御機能によって、乗りかご扉６は、乗りかご２が着床した際に一旦開かれた後、所定の時間（例えば、１０秒）が経過してから自動的に閉じられる。この自動戸開閉制御機能により、乗客４がスムーズに乗りかご２に乗降することができる。
【００２３】
乗りかご操作盤８は、表示パネル８４と、行先階設定釦部８３と、開閉操作釦部８６と、を含んで構成される。表示パネル８４は、乗りかご２が移動しているときに、乗りかご２が現在位置している階床を表示する機能を有する。
【００２４】
行先階設定釦部８３は、乗客４が乗りかご２の行先階を設定するための押釦であり、１階設定押釦８３ａと、２階設定押釦８３ｂと、３階設定押釦８３ｃとを含んで構成される。
【００２５】
１階設定押釦８３ａは、乗りかご２の行先階を１階に設定するための押釦である。２階設定押釦８３ｂは、乗りかご２の行先階を２階に設定するための押釦である。３階設定押釦８３ｃは、乗りかご２の行先階を３階に設定するための押釦である。
【００２６】
開閉操作釦部８６は、エレベータ制御部２２の自動戸開閉制御機能とは別に、乗客４が手動で乗りかご扉６を開閉操作するための押釦であり、戸開押釦８６ａと、戸閉押釦８６ｂとを含んで構成される。
【００２７】
戸開押釦８６ａは、エレベータ制御部２２の自動戸開閉制御機能とは別に、乗りかご扉６を手動操作で開くための押釦であり、乗りかご２が着床している際に押されると、強制的に乗りかご扉６を開くようにエレベータ制御部２２に対して戸開信号を送信する機能を有する。戸開押釦８６ａは、乗客４が手で操作しやすい高さ位置に取り付けられている。
【００２８】
戸閉押釦８６ｂは、エレベータ制御部２２の自動戸開閉制御機能とは別に、乗りかご扉６を手動操作で閉じるための押釦であり、乗りかご２が着床している際に押されると、強制的に乗りかご扉６を閉じるようにエレベータ制御部２２に対して戸閉信号を送信する機能を有する。戸閉押釦８６ｂは、乗客４が手で操作しやすい高さ位置に取り付けられている。
【００２９】
エレベータ制御部２２は、エレベータ１０全般を制御する機能を有する。具体的には、エレベータ制御部２２は、巻上機１４に巻上させることで乗りかご２を昇降させる機能を有する。さらに、エレベータ制御部２２は、乗りかご２が着床した際に乗りかご扉６を一旦開いた後、所定の時間（例えば、１０秒）が経過してから自動的に乗りかご扉６を閉じる自動戸開閉制御機能を有している。そして、エレベータ制御部２２は、自動戸開閉制御機能とは別に、戸開押釦８６ａからの戸開信号を受け取って乗りかご扉６を開く機能と、戸閉押釦８６ｂからの戸閉信号を受け取って乗りかご扉６を閉じる機能とを有している。
【００３０】
主レール１２は、昇降路９内において昇降方向（図１の上側方向あるいは下側方向）に沿って延伸し、乗りかご２の両端部と嵌合して乗りかご２の昇降動作を案内するためのガイドレールである。主レール１２のうち、昇降路９の最上部と最下部には、取り付け部材１１，１５を介して終点スイッチ１３，１７が設けられている。なお、主レール１２の延伸方向（図１の上側方向あるいは下側方向）に直交する方向の断面形状は略凸形状（図４参照）であり、当該略凸部分が、乗りかご２の両端部の略凹部分（図示していない）と嵌合することで、乗りかご２が主レール１２に案内されることとなる。
【００３１】
図２は、主レール１２のうち昇降路９の最上部に設けられる終点スイッチ１３付近を示す図である。取り付け部材１１は、基端部側（図２の左側）が締結部材１１２，１１４によって主レール１２に締結され、主レール１２の延伸方向に直交する方向（図２の左側方向あるいは右側方向）に延伸する部材であり、その先端部側（図２の右側）には終点スイッチ１３が取り付けられている。なお、取り付け部材１１は、略Ｌ字形状（図４参照）を有しており、取り付け部材１１の右側端面１１ｂが終点スイッチ１３の左側端面１３４ｂと当接している。
【００３２】
終点スイッチ１３は、昇降路９の最上部において、乗りかご２が昇り過ぎか否かを判断するために設けられるスイッチである。終点スイッチ１３は、延伸部１３４と、検出部１３２とを含んで構成される。延伸部１３４は、取り付け部材１１の先端部側（図２の右側）において、スイッチ側締結部材１３９を締め付けることで延伸部１３４の基端部側（図２の上側）が取り付けられ、主レール１２と所定の間隔ｄを保ちつつ、主レール１２と平行に延伸している。検出部１３２は、例えば、仮に、乗りかご２が上側の終端位置を通り過ぎてさらに昇ってしまった場合に、乗りかご２の上部に設けられるカム（図示していない）によって押圧されることで、乗りかご２の行き過ぎを検知することができる。また、主レール１２のうち昇降路９の最下部には取り付け部材１５を介して終点スイッチ１７が設けられている。終点スイッチ１７は、昇降路９の最下部において、乗りかご２が下側の終端位置を通り過ぎた否かを判断するために設けられるスイッチである。取り付け部材１５と終点スイッチ１７は、取り付け部材１１と終点スイッチ１３と同様の構成であるため、詳細な説明は省略する。
【００３３】
ここで、エレベータ１０において、保守作業員は、定期的な終点スイッチ１３の保守点検として、終点スイッチ１３の交換は行わないが既設の終点スイッチ１３の取り付け位置だけを再調整することがあり、また、終点スイッチ１３の交換を行うときにも、交換後の新しい終点スイッチ１３の取り付け位置の調整を行うことが必要である。このとき、終点スイッチ１３が種々の方向に移動してしまうと、終点スイッチ１３の取り付け位置の調整に時間を要してしまうため、終点スイッチ１３の移動方向を規制することが望ましい。
【００３４】
調整治具１００は、保守作業員が終点スイッチ１３，１７の取り付け位置を調整するときに、終点スイッチ１３，１７の移動方向を規制するために用いる治具である。図３は、図２において示される終点スイッチ１３の移動方向を規制するために、調整治具１００を用いている様子を示す図である。図４は、図３において矢印Ａ方向から調整治具１００と主レール１２と取り付け部材１１と終点スイッチ１３を見た様子を示す上面図である。なお、図示しないが調整治具１００は、終点スイッチ１７の取り付け位置を調整する際にも同様に用いることができる。
【００３５】
調整治具１００は、治具側固定部１５０と、治具側延伸部１６０と、治具側規制部１７０とを含んで構成される。治具側固定部１５０は、主レール１２の側面１２ａと磁気的に接続するために磁化されており、磁力を利用して主レール１２に対して着脱可能に固定される部材である。
【００３６】
治具側延伸部１６０は、治具側固定部１５０から取り付け部材１１の延伸方向（図３の右側方向）に沿って延伸する部材である。また、治具側延伸部１６０は、適当な強度を有する部材、例えば、ステンレス等を用いて構成することができる。さらに、治具側延伸部１６０は、基端部側（図４の左側）において長さｌ（図４に示されるように治具側固定部１５０と治具側規制部１７０との間の距離）を調整することができる入れ子状となっており、当該入れ子部分は、後述する治具側固定部１５０の調整機構に組み込まれている。
【００３７】
治具側規制部１７０は、治具側延伸部１６０の先端部側（図３の右側）に取り付けられる略四角柱形状を有する部材である。治具側規制部１７０は、終点スイッチ１３の右側端面１３４ａと当接する端面である左側端面１７０ａを有している。また、図４に示されるように、終点スイッチ１３の左側端面１３４ｂは、取り付け部材１１の右側端面１１ｂと当接している。したがって、図３，４に示されるように、終点スイッチ１３は、取り付け部材１１と治具側規制部１７０と協働によって挟持された状態となるため、その移動方向のうち、左側方向及び右側方向（延伸部１３４の延伸方向に直交する方向）への移動ができない状態としつつ、上側方向及び下側方向（延伸部１３４の延伸方向）への移動のみができるように、その移動方向が規制される。
【００３８】
なお、治具側固定部１５０には、治具側規制部１７０が終点スイッチ１３の移動方向を左側方向及び右側方向（延伸部１３４の延伸方向に直交する方向）への移動ができない状態としつつ、上側方向及び下側方向（延伸部１３４の延伸方向）への移動のみを行なうことができるように規制する位置となるように、治具側延伸部１６０の入れ子部分を用いて長さｌを調整した後で調整後の長さで固定するラッチ機構を有する調整機構が設けられている。また、治具側延伸部１６０の入れ子部分を治具側延伸部１６０の先端部側（図４の右側）に設けて、当該調整機構を治具側固定部１５０の代わりに治具側規制部１７０において設けるものとしてもよい。
【００３９】
また、治具側規制部１７０には、終点スイッチ１３の上側方向及び下側方向への移動距離を調べるために治具側規制部１７０の右側端面１７０ｂに設けられた目盛部１７２を有している。保守作業員は、終点スイッチ１３の端部と目盛部１７２に記された目盛の位置関係により、終点スイッチ１３の移動距離を測ることができる。
【００４０】
続いて、上記構成の調整治具１００の作用について図１〜図４を用いて説明する。エレベータ１０を長期間使用していると、保守作業員は、定期的に終点スイッチ１３，１７の保守点検を行なう必要がある。具体的には、例えば、保守作業員は、定期的な終点スイッチ１３の保守点検として、終点スイッチ１３の交換は行わないが既設の終点スイッチ１３の取り付け位置だけを再調整することがあり、また、終点スイッチ１３の交換を行うときにも、交換後の新しい終点スイッチ１３の取り付け位置の調整を行うことが必要である。
【００４１】
保守作業員が上記保守点検作業時に調整治具１００を用いる手順について説明すると、まず治具側固定部１５０を主レール１２のうち取り付け部材１１よりも少しだけ上側において、主レール１２の側面１２ａと治具側固定部１５０の側面１５０ａとを磁気的に接続して固定する。そして、治具側固定部１５０に設けられた調整機構を用いて治具側延伸部１６０の長さｌ（治具側固定部１５０と治具側規制部１７０との間の距離）を調整し、治具側規制部１７０の左側端面１７０ａと終点スイッチ１３の右側端面１３４ａとが当接するようにする。なお、治具側延伸部１６０の長さｌは調整後の長さでラッチさせておく。このとき、治具側規制部１７０の左側端面１７０ａと終点スイッチ１３の右側端面１３４ａとが十分に大きい領域で当接できるように、治具側固定部１５０の上下方向の位置についても好適に調整しておく。
【００４２】
上記のように、調整治具１００を取り付けると、終点スイッチ１３が取り付け部材１１の右側端面１１ｂと治具側規制部１７０の左側端面１７０ａとによって挟持された状態となるため、終点スイッチ１３の移動方向のうち、左側方向及び右側方向への移動ができない状態としつつ、上側方向及び右側方向への移動のみができるように規制される。したがって、終点スイッチ１３の交換は行わないが既設の終点スイッチ１３の取り付け位置だけを単に再調整する場合には、終点スイッチ１３が左側方向及び右側方向への移動ができないように規制されているため、より好適に、上下方向に終点スイッチ１３の位置調整を行なうことができる。また、終点スイッチ１３を新しい終点スイッチ１３と交換する場合にも、スイッチ側締結部材１３９を緩める等の作業を行い、古い終点スイッチ１３を上下方向に移動させて取り付け部材１１と治具側規制部１７０との間が抜き取った後に、新しい終点スイッチ１３を取り付け部材１１と治具側規制部１７０との間に挿入して、新しい終点スイッチ１３を上下方向に移動させながら取り付け位置を調整し、再びスイッチ側締結部材１３９を締め付ける等の作業を行なって、終点スイッチ１３を取り付け部材１１にしっかりと固定する。このとき、終点スイッチ１３が左側方向及び右側方向への移動ができないように規制されているため、より好適に、上下方向に終点スイッチ１３の位置調整を行なうことができる。
【００４３】
次に、調整治具１００の第１変形例である調整治具１０１について説明する。調整治具１０１と調整治具１００との相違は、治具側固定部１５２だけであるため、治具側固定部１５２を中心に説明する。図５は、調整治具１０１について、図４に対応する上面図である。
【００４４】
治具側固定部１５２は、調整治具１００の治具側固定部１５０と同様に、主レール１２と磁気的に接続するために、主レール１２と当接する領域が磁化されており、磁力を利用して主レール１２に対して着脱可能に固定される部材である。そして、治具側固定部１５２は、図５に示されるように主レール１２の外形を掴むような外形（略凹形状の外形）を有しており、保守作業員が力を入れると先端部１５２ａ，１５２ｂを湾曲させて開くことができる程度の強度を有する部材で構成されている。
【００４５】
終点スイッチ１３の取り付け位置の調整を行う際に、調整治具１０１を用いても調整治具１００と同様に終点スイッチ１３が左側方向及び右側方向への移動ができないように規制し、終点スイッチ１３が上側方向及び下側方向への移動のみが行えるように規制しているため、好適に終点スイッチ１３の取り付け位置を調整することができる。さらに、調整治具１０１の治具側固定部１５２は、主レール１２を掴むような外形を有しているため、しっかりと主レール１２に固定した状態で終点スイッチ１３の取り付け位置を調整することができる。
【００４６】
次に、調整治具１００の第２変形例である調整治具１０２について説明する。調整治具１０２と調整治具１００との相違は、治具側固定部１５４だけであるため、治具側固定部１５４を中心に説明する。図６は、調整治具１０２について、図４に対応する上面図である。
【００４７】
治具側固定部１５４は、調整治具１００の治具側固定部１５０と同様に、主レール１２と磁気的に接続するために主レール１２と当接する領域が磁化されており、磁力を利用して主レール１２に対して着脱可能に固定される部材である。そして、治具側固定部１５４は、図６に示されるように主レール１２を構成する側面のうち終点スイッチ１３が設けられる側（右側）の側面とは反対側（左側）の側面１２ｂと係合する係合部１５４ａを有している。
【００４８】
終点スイッチ１３の取り付け位置の調整を行う際に、調整治具１０２を用いても調整治具１００と同様に終点スイッチ１３が左側方向及び右側方向への移動ができないように規制し、終点スイッチ１３が上側方向及び下側方向への移動のみが行えるように規制しているため、好適に終点スイッチ１３の取り付け位置を調整することができる。さらに、調整治具１０２の治具側固定部１５４は、主レール１２の側面１２ｂと係合する係合部１５４ａを有しており、より広い領域で主レール１２と磁気的に接合しているため、しっかりと主レール１２に固定した状態で、終点スイッチ１３の取り付け位置を調整することができる。
【符号の説明】
【００４９】
４  乗客、６  乗りかご扉、７  主ロープ、８  乗りかご操作盤、９  昇降路、１０  エレベータ、１１，１５  取り付け部材、１１ｂ  右側端面、１２  主レール、１２ａ，１２ｂ  側面、１３，１７  終点スイッチ、１４  巻上機、１６  カウンタウエイト、２０  機械室、２２  エレベータ制御部、８３  行先階設定釦部、８３ａ  １階設定押釦、８３ｂ  ２階設定押釦、８３ｃ  ３階設定押釦、８４  表示パネル、８６  開閉操作釦部、８６ａ  戸開押釦、８６ｂ  戸閉押釦、１００,１０１，１０２  調整治具、１１２，１１４  締結部材、１３２  検出部、１３４  延伸部、１３４ａ  右側端面、１３４ｂ  左側端面、１３９  スイッチ側締結部材、１５０,１５２，１５４  治具側固定部、１５０ａ  側面、１５２ａ，１５２ｂ  先端部、１５４ａ  係合部、１６０  治具側延伸部、１７０  治具側規制部、１７０ａ  左側端面、１７０ｂ  右側端面、１７２  目盛部。
【図１】
0005502577.tif 000002
【図２】
0005502577.tif 000003
【図３】
0005502577.tif 000004
【図４】
0005502577.tif 000005
【図５】
0005502577.tif 000006
【図６】
0005502577.tif 000007